(57)【要約】  仮重合及び本重合のいずれの重合も１つを装置で行うことができる技工用重合装置を提供することを目的とし、光軸の方向が少なくとも２方向である複数の光源と、光源を覆いその内側に重合空間を形成するとともに、重合空間の内外を連通する開口の形成及び該開口の閉鎖を切り替えるフタと、フタによる開口の形成及び該開口の閉鎖を検知するセンサと、センサから信号を受信して、開口の形成及び該開口の閉鎖の姿勢に基づいて前記複数の光源のうち開口の閉鎖の姿勢では光軸の方向が異なる２方向以上の光源を点灯させ、開口が形成された姿勢では開口の閉鎖の姿勢よりも少ない方向数の光源を点灯させる制御手段と、を備えるものとする。
2016039332.tif 000002
【特許請求の範囲】
【請求項１】
歯科補綴物に用いられる光硬化性材料を硬化させる技工用重合装置であって、  光軸の方向が少なくとも２方向である複数の光源と、前記光源を覆いその内側に重合空間を形成するとともに、前記重合空間の内外を連通する開口の形成及び該開口の閉鎖を切り替えるフタと、前記フタによる前記開口の形成及び該開口の閉鎖を検知するセンサと、前記センサから信号を受信して、前記開口の形成及び該開口の閉鎖の姿勢に基づいて前記複数の光源のうち前記開口の閉鎖の姿勢では光軸の方向が異なる２方向以上の光源を点灯させ、前記開口が形成された姿勢では前記開口の閉鎖の姿勢よりも少ない方向数の光源を点灯させる制御手段と、を備える、技工用重合装置。
【請求項２】
歯科補綴物に用いられる光硬化性材料を硬化させる技工用重合装置であって、  光軸の方向が少なくとも２方向である複数の光源と、前記光源を覆いその内側に重合空間を形成するとともに、前記重合空間の内外を連通する開口の形成及び該開口の閉鎖を切り替えるフタと、前記フタによる前記開口の形成及び該開口の閉鎖を検知するセンサと、前記センサから信号を受信して、前記開口の形成及び該開口の閉鎖の姿勢に基づいて前記複数の光源のうち前記開口の閉鎖の姿勢では光軸の方向が異なる２方向以上の光源を点灯させ、前記開口が形成された姿勢では前記開口の閉鎖の姿勢よりも少ない方向数の光源を点灯させる制御手段と、前記フタが閉鎖した姿勢で前記フタで囲まれる空間の内側に配置され、前記開口が形成された姿勢で前記光源の点灯と非点灯とを切り替えるスイッチと、前記フタで囲まれる空間の外側に配置され、前記閉鎖の姿勢で前記光源の点灯と非点灯とを切り替えるスイッチと、を備える、技工用重合装置。
【請求項３】
前記光源は、高いエネルギーでの点灯と、低いエネルギーでの点灯とが可能であり、前記フタで囲まれる空間の外側に配置されたスイッチを押した際に、  前記制御手段は前記演算により、前記フタにより開口が形成された姿勢で前記低いエネルギーで前記光源を点灯すべき決定をし、前記フタにより開口が閉鎖された姿勢で前記高いエネルギーで前記光源を点灯すべき決定をする、請求項１又は２に記載の技工用重合装置。
【発明の詳細な説明】
【技術分野】技工用重合装置【０００１】  本発明は、歯科の分野、特に歯科技工の分野で歯科補綴物の作製の際に用いられる光硬化性材料を硬化させる技工用重合装置、及び技工用重合装置の制御方法に関する。
【背景技術】
【０００２】  歯科の分野、特に歯科技工の分野において、歯牙の修復物や入れ歯等の歯科補綴物を製作するに際し、光硬化性の材料（「重合材料」と記載することがある。）を用いて硬化（「重合」と記載することがある。）させる前に形状を造り込み、その後光を照射して硬化することにより形状を確定させる手法が広く行われている。そして当該光硬化性の材料を硬化するために光を照射する装置が重合装置である。【０００３】  通常、歯科補綴物の製作では仮重合装置及び本重合装置が用いられる。  仮重合装置は材料を積層したときに当該積層した一部について作業中における変形を避けるため部分的な硬化をさせる重合装置である。仮重合装置を用いた仮重合では作製者が作製途中の歯科補綴物を手に持ち、必要な部位へ光を照射する。これにより部分的な重合を短時間で簡易におこなうことができる（例えば特許文献１、２）。  本重合装置は材料を全て積層した後に仕上げとして全体をムラなく重合させる装置である。通常はチャンバー（容器）内に作製した重合前の歯科補綴部を設置し扉（フタ）を閉める等して閉空間を形成してから歯科補綴物の全体に光を照射する。作製する歯科補綴物の大きさや細かさにもよるが数分に亘って光が照射され、確実な重合が行われる。また効率よく重合を行う観点から回転テーブル上に重合前の歯科補綴物が設置され、回転しながら光を照射して重合が行われることもある（例えば特許文献３）。【０００４】  また、特許文献４には、便宜のため、本重合装置の隣に仮重合装置を着脱可能に配置した重合装置が開示されている。
【先行技術文献】
【特許文献】
【０００５】
【特許文献１】特開平３−２３７９７３号公報
【特許文献２】実開平６−６１２１３号公報
【特許文献３】特開２０１３−１７６１６号公報
【特許文献４】実開平５−９５５１２号公報
【発明の概要】
【発明が解決しようとする課題】
【０００６】  しかしながら、上記のように従来は本重合装置と仮重合装置とが個別に提供されていた。特許文献４に記載の重合装置は両者を含むものであるが、本重合装置と仮重合装置とが隣接して個別に配置されており、個別に提供されることに対して大きく変わるものではなかった。このように２つの技工用重合装置が配置されることによりスペースが取られる等の問題があった。  また、２種類の重合装置ではそれぞれ外形や光の照射範囲、光の強さが異なるため、これらを単純に１つに合わせることもできなかった。【０００７】  そこで本発明は上記問題点に鑑み、仮重合及び本重合のいずれの重合も１つを装置で行うことができる技工用重合装置を提供することを課題とする。またこのような技工用重合装置の制御方法を提供する。
【課題を解決するための手段】
【０００８】  以下、本発明について説明する。【０００９】  本発明は、歯科補綴物に用いられる光硬化性材料を硬化させる技工用重合装置であって、光軸の方向が少なくとも２方向である複数の光源と、光源を覆いその内側に重合空間を形成するとともに、重合空間の内外を連通する開口の形成及び該開口の閉鎖を切り替えるフタと、フタによる開口の形成及び該開口の閉鎖を検知するセンサと、センサから信号を受信して、開口の形成及び該開口の閉鎖の姿勢に基づいて複数の光源のうち開口の閉鎖の姿勢では光軸の方向が異なる２方向以上の光源を点灯させ、開口が形成された姿勢では開口の閉鎖の姿勢よりも少ない方向数の光源を点灯させる制御手段と、を備える、技工用重合装置である。【００１０】  また、本発明は、歯科補綴物に用いられる光硬化性材料を硬化させる技工用重合装置であって、光軸の方向が少なくとも２方向である複数の光源と、光源を覆いその内側に重合空間を形成するとともに、重合空間の内外を連通する開口の形成及び該開口の閉鎖を切り替えるフタと、フタによる開口の形成及び該開口の閉鎖を検知するセンサと、センサから信号を受信して、開口の形成及び該開口の閉鎖の姿勢に基づいて複数の光源のうち開口の閉鎖の姿勢では光軸の方向が異なる２方向以上の光源を点灯させ、開口が形成された姿勢では開口の閉鎖の姿勢よりも少ない方向数の光源を点灯させる制御手段と、フタが閉鎖した姿勢でフタで囲まれる空間の内側に配置され、開口が形成された姿勢で光源の点灯と非点灯とを切り替えるスイッチと、フタで囲まれる空間の外側に配置され、閉鎖の姿勢で光源の点灯と非点灯とを切り替えるスイッチと、を備える、技工用重合装置である。【００１１】  本発明において光源は、高いエネルギーでの点灯と、低いエネルギーでの点灯とが可能であり、フタで囲まれる空間の外側に配置されたスイッチを押した際に、制御手段は演算により、フタにより開口が形成された姿勢で低いエネルギーで光源を点灯すべき決定をし、フタにより開口が閉鎖された姿勢で高いエネルギーで光源を点灯すべき決定をしてもよい。
【発明の効果】
【００１２】  本発明によれば、フタによる開口の形成及び開口の閉鎖の姿勢が判断されて光源の点灯が決定されるので、仮重合のための光の照射と本重合のための光の照射を１つの装置内で行うことができる。従って光源を仮重合と本重合とで共有することが可能となる。また、仮重合器と本重合器とを個別に準備する必要がないので省スペース化を図ることもできる。
【図面の簡単な説明】
【００１３】
【図１】図１（ａ）は開口が閉鎖された姿勢の技工用重合装置１０の外観斜視図、図１（ｂ）は開口が形成された姿勢の技工用重合装置１０の外観斜視図である。
【図２】図２（ａ）は開口が閉鎖された姿勢の技工用重合装置１０の側面図、図２（ｂ）は開口が形成された姿勢の技工用重合装置１０の側面図である。
【図３】技工用重合装置１０の分解斜視図である。
【図４】開口が閉鎖された姿勢の技工用重合装置１０の断面図である。
【図５】開口が形成された姿勢の技工用重合装置１０の断面図である。
【図６】図６（ａ）は操作盤２２を説明する図、図６（ｂ）は操作盤２２’を説明する図である。
【図７】仮重合をする場面を説明する断面図である。
【図８】本重合をする場面を説明する断面図である。
【図９】技工用重合装置の制御方法Ｓ１０のフロー図である。
【図１０】技工用重合装置の制御方法Ｓ２０のフロー図である。
【図１１】技工用重合装置１０’を説明する断面図である。
【図１２】技工用重合装置１０”を説明する断面図である。
【図１３】技工用重合装置３０を説明する断面図である。
【図１４】技工用重合装置３０の他の例を説明する断面図である。
【図１５】図１５（ａ）は技工用重合装置３０の他の例を説明する断面図、図１５（ｂ）は技工用重合装置３０’のさらなる他の例を説明する断面図である。
【図１６】技工用重合装置４０を説明する断面図である。
【図１７】技工用重合装置４０’を説明する断面図である。
【図１８】技工用重合装置４０’の他の例を説明する分解斜視図である。
【発明を実施するための形態】
【００１４】  図１は、第一の形態にかかる技工用重合装置１０の外観斜視図であり、図１（ａ）はフタ２５が閉鎖して内外を連通する開口が閉鎖された姿勢、図１（ｂ）はフタ２５が開放され内外を連通する開口が形成された姿勢をそれぞれ表している。図２は技工用重合装置１０の側面図であり、図２（ａ）は図１（ａ）と同じ姿勢、図２（ｂ）は図１（ｂ）と同じ姿勢である。図３は技工用重合装置１０の分解斜視図であり、フタ２５を分離して表している。図４は、図１にＩＶ−ＩＶで示した線に沿って技工用重合装置１０を鉛直方向に切断したときの断面図である。従って図４はフタ２５が閉鎖して内外を連通する開口が閉鎖された姿勢における技工用重合装置１０の断面を表している。また、図５は図４と同じ視点でフタ２５を開放して内外を連通する開口が形成された姿勢である。図４、図５の断面図では切断面となる面の少なくとも一部をハッチングして表している。ただし図の見易さのため切断面であってもハッチングしていない面もある。
【００１５】  これら図からわかるように、技工用重合装置１０は、本体１１、及びフタ２５を備えて構成されている。本体１１は技工用重合装置１０の主要な部材が配置されている部材であり、フタ２５は本体１１の一部を上から覆うように配置され、本体１１及びフタ２５により囲まれた空間で重合が行われる。さらに本体１１は、基体１２、回転台１３、光源部材１４、及び制御手段１９を有して構成されている。以下、技工用重合装置１０の構成について説明する。またわかりやすさのため図示は省略するが技工用重合装置１０には、これ以外にも該装置として機能するための公知の機器（例えば電源、電気回路、電気配線等）が備えられる。
【００１６】  基体１２は、本体１１の外殻を構成する部材であり、技工用重合装置１０を構成する各部材の大部分がこの基体１２の内外に配置される。従って基体１２は中空の箱状に形成されており、この内外に構成部材を配置することができる。  本形態では、基体１２はその上面となる側に、一端側から他端側に向けて操作盤配置部１２ａ、重合空間形成部１２ｂ、及びフタ保持部１２ｃが配置されている。  操作盤配置部１２ａは制御手段１９の操作盤２２が配置される部位である。操作盤２２は使用者に供されるので、操作盤配置部１２ａは使用者側（正面側、図２（ａ）の紙面左側）に配置することが好ましい。  重合空間形成部１２ｂはこの上に重合のための空間（重合空間）が形成される部位であり、本形態では回転台１３が配置されている。回転台１３の上に重合の対象である歯科補綴物１が配置されて光が照射される（図８参照）。  フタ保持部１２ｃは、フタ２５を本体１１に保持し、該フタ２５を開閉してフタ２５の内外を連通する開口の形成及び開口の閉鎖を行う際にフタ２５を回動させる軸を有する部位である。従って本形態ではフタ保持部１２ｃはフタ２５に設けられた回動軸２６を受ける軸受１２ｄを有している。ただし、このようなフタ２５の開閉を可能とする手段はこれに限定されることなく、他の公知の手段を用いることができる。これには例えばヒンジが挙げられる。
【００１７】  回転台１３は、後で説明する重合空間（仮重合範囲及び本重合範囲）の下方に設けられる部材であり、モータ１３ａ、該モータ１３ａにより回転可能な回転軸１３ｂ、及び回転軸１３ｂにより回転するテーブル状の載置台１３ｃを有する部材である。回転台１３には特に本重合の際に、直接歯科補綴物１が置かれたり、又は高さ位置を調整するための手段である高さ調整手段２を介して歯科補綴物１が置かれたりする（図８参照）。このような調整手段としては、例えば、所定の厚さのブロック状又は板状部材や、載置台１３ｃ自体を上下動可能とする機構を設けてもよい。載置台１３ｃを上下動させるための機構は特に限定されるものではないが、載置台１３ｃを回転させる回転軸１３ｂを上下動可能とする形態が挙げられる。  回転台１３の基体１２への配置は例えば次のように行われる。すなわち、回転台１３のうちモータ１３ａは基体１２の内側に内包され、載置台１３ｃが基体１２の重合空間形成部１２ｂから露出して表れている。これにより、本重合の際にここに配置される歯科補綴物１を回転させることができ、さらなる均一な硬化（重合）を可能としている。
【００１８】  光源部材１４は、歯科補綴物に用いられた樹脂を重合して硬化させるための光を出光する装置である。本形態では光源部材１４は基板１５、及び基板１５に配置された複数の光源１６、１７、１８を備えている。
【００１９】  基板１５は、基体１２のうち重合空間形成部１２ｂとフタ保持部１２ｃとの間から立設する板状の部材である。本形態の基板１５は、３つの片１５ａ、１５ｂ、１５ｃが順に連結する形態であり隣り合う片同士は屈折して配置されている。図４、図５からわかるように、最も基体１２側に配置される片１５ａは基体１２から上方に立設され、その先端から片１５ｂが延び、さらにその先端から片１５ｃが延びるように配置される。このとき片１５ａ、１５ｂ、１５ｃが屈折することで基体１２の重合空間形成部１２ｂを上方から覆うように形成される。片の屈折の程度は、ここに配置される光源１６、１７、１８の光軸が向くべき方向により決められる。当該方向については後で光源の説明のときに述べる。  本形態では、複数の片が屈折して配置されることにより形成されているが、その他、例えば基板が円弧状に湾曲することにより同様に重合空間形成部１２ｂを上方から覆うように構成されてもよい。このように重合空間形成部１２ｂを覆うように光源を配置する構成は公知の形態を適用することができ、例えば特許文献３にも開示されている。
【００２０】  光源１６、１７、１８は、上記した基板１５の片１５ａ、１５ｂ、１５ｃのそれぞれに配置され、各光源１６、１７、１８は重合空間形成部１２ｂ側に光を出射することができるように位置づけられている。従って、光源１６、光源１７、及び光源１８は、その光軸が光源１６、光源１７、及び光源１８で異なるように配置されている。すなわち、技工用重合装置１０には照射方向（光軸）が異なる（光軸の方向が少なくとも２方向である）複数の光源が配置されている。ここで、「光軸」とは、光源から出射される光の輝度分布のうち最も輝度が高い方向を意味する。より詳しくは次の通りである。なお、光源は各片１５ａ、１５ｂ、１５ｃに１つずつである必要はなく、複数の光源が配置されてもよい。
【００２１】  片１５ａに配置された光源１６は、光軸が略水平に重合空間形成部１２ｂ（重合空間のうち本重合領域、図８のＶＩＩＩａ）に向けられている。好ましくは光軸が水平に対して成す角が±１０°の範囲である。ここで、成す角の正負は、光軸が下方を向いているときを正、光軸が上方を向いているときを負とする。より好ましくは光源１６の当該成す角が０°未満である。これにより複雑な形状の歯科補綴物のアンダーカット部にも光の照射が行いやすくなる。  片１５ｂに配置された光源１７は、光軸が斜め下方に向いて重合空間形成部１２ｂ（重合空間のうち本重合領域、図８のＶＩＩＩａ）に向けられている。好ましくは、光軸が水平に対して成す角（図４にθｂで示した角度）が４５°±１５°である。  片１５ｃに配置された光源１８は、光軸が下方に向いて重合空間形成部１２ｂ（重合空間のうち本重合領域（図８のＶＩＩＩａ）、及び仮重合領域（図７のＶＩＩａ））に向けられている。好ましくは、光軸が水平に対して成す角（図４にθｃで示した角度）が７５°±１５°である。より好ましくは６０°以上９０°未満である。９０°未満とすることにより仮重合時においては歯科補綴物を光照射位置に配置する際に空間を大きく形成することができ、作業のしやすさを確保することが可能である。一方、本重合時には回転台１３の回転に伴うことで歯科補綴物に含まれるアンダーカット部への光の照射ができる。
【００２２】  光源から出射される光には、歯科補綴物に用いられる重合材料を重合して硬化させるために必要な波長が含まれる。通常、このような光硬化性材料が硬化する波長域は３００ｎｍ以上５２０ｎｍ以下であることから、近紫外線、紫色、青色、又は白色の光が好ましい。重合材料の典型的な例として光重合材料にカンファーキノンを用いた樹脂材料を挙げることができる。この材料の重合開始の光の波長は４７０ｎｍ程度である。  ここで、近紫外線を出射する光源は、３１５ｎｍ以上３８０ｎｍ未満の範囲内にピーク波長を有し、同様に紫色の光を出射する光源は３８０ｎｍ以上４３０ｎｍ未満、青色の光を出射する光は４３０ｎｍ以上５２０ｎｍ未満の範囲にピーク波長を有することを意味する。
【００２３】  近紫外線、紫色、青色、及び白色の光源の配置の態様は特に限定されることなく、いずれか一種類であってもよいし、二種類以上の光源を含めるように配置してもよい。本形態では図３に一部が表れているように、基板１５の各片１５ａ、１５ｂ、１５ｃにはそれぞれ種類の異なる種類の光源が配置されてもよい。例えば１つの片１５ａ、１５ｂ、１５ｃに紫色の光源及び青色の光源を配置することができる。  また配置される同種の光源の数も特に限定されることなく、１つでもよいし複数でもよい。  基板１５の各片１５ａ、１５ｂ、１５ｃごとで配置する光源の種類や数を変えてもよいし、全て同じであってもよい。ただし、各片１５ａ、１５ｂ、１５ｃで光源の数及び種類を同じとすることで、特に本重合における方向による光の照射ムラを抑制することができるとともに、部材の共通化を図って生産性を向上させることができる。
【００２４】  光源１６、１７、１８は、キセノンランプやＬＥＤ等、いずれの種類の光源であってもよいが、出射光の波長特性、光源寿命、及び消費電力等の観点からＬＥＤを用いることが好ましい。
【００２５】  制御手段１９は技工用重合装置１０に備えられる各部材を制御して所定の機能を発揮させる手段であり、本形態では制御板２０、フタ検出センサ２１、操作盤２２を有して構成されている。  制御板２０は、フタ検出センサ２１及び操作盤２２から送信された信号を受信して演算し、その結果を回転台１３、光源部材１４、操作盤２２に送信して制御する手段である。従って制御板２０は、回転台１３、光源部材１４、フタ検出センサ２１、及び操作盤２２と電気的に接続されている。具体的にどのような制御が行われるかについては後で説明する。  本形態では制御板２０は本体１１の基体１２の内側に配置されている。  制御板２０は電子回路により構成することができ、例えば実際に演算を行う中央演算子（ＣＰＵ）、プログラムが保存されたＲＯＭ、作業領域や結果の保存に用いられるＲＡＭ等を備え、各機器との接続のためのインターフェイスを具備している。このようなハードウェアは公知のものを用いることができる。
【００２６】  フタ検出センサ２１はフタ２５の姿勢を検知してフタ２５の内外を連通する開口の形成及び開口の閉鎖を判断するための情報を得るセンサである。すなわち、フタ２５の姿勢を検知して制御板２０にその情報を送信し、制御板２０が、フタの内外を連通する開口が形成されているか閉鎖されているかを判断して、その結果に基づいて点灯する光源の選択や点灯時間を演算したり、回転台１３の回転の可否を演算したりして、光源１６、１７、１８、及び回転台１３を制御する。  ここに用いられるセンサは特に限定されることはないが、マイクロスイッチや、位置又は回転を検知するセンサを挙げることができる。
【００２７】  操作盤２２は、使用者がその希望を入力する手段であり、操作スイッチや各種表示が配置されている。この操作盤２２はフタ２５により囲まれる重合空間の外側に配置された操作盤である。図６（ａ）には操作盤２２の１つの例を表した。操作盤２２には本重合用点灯時間設定スイッチ２２ａ、仮重合用点灯開始スイッチ２２ｂ、及び停止スイッチ２２ｃが配置されている。本重合用点灯時間設定スイッチ２２ａにより、本形態では図６（ａ）の左から０．５分、１分、３分、５分の設定及び本重合のための光源の点灯をすることができる。仮重合用点灯開始スイッチ２２ｂでは、このスイッチを押圧することにより予め決められた時間で仮重合のための光源の点灯が行われる。  また、操作盤２２には光源点灯の残り時間を表示する残時間表示部２２ｄが設けられ、棒グラフにより光源点灯の残り時間が表示される。  これにより、入力された時間や点灯開始の指示を情報として制御板２０に送信し、該制御板２０は点灯させるべき光源や点灯時間を演算して光源１６、１７、１８、及び回転台１３を制御する。
【００２８】  操作盤の他の例を図６（ｂ）に示した。当該他の例の操作盤２２’は光源の点灯時間をさらに細かく設定することができる。すなわち操作盤２２’には点灯時間を１秒単位で設定するための時間設定スイッチ２２’ａを有し、その設定時間が時間表示部２２’ｂに表示される。そして点灯開始のためのスタートスイッチ２２’ｃ、点灯停止のためのストップスイッチ２２’ｄがそれぞれ配置されている。
【００２９】  図１〜図５に戻りフタ２５について説明する。フタ２５は、その内側に、重合されるべき材料が含まれた歯科補綴物を覆う重合空間を形成する部材である。本形態ではフタ２５は１つの面が内外を通じる開口部とされた箱状に形成されている。そして当該開口部を本体１１の上面に被せるように配置することにより、フタ２５及び本体１１により囲まれた空間を形成する。このとき、図４からわかるようにフタ２５の内側には回転台１３の載置台１３ｃや光源部材１４が覆われるように内包される。  開口部の縁は本体１１の上面の形状と概ね同じに形成されている。これにより光源１６、１７、１８から出射された光の漏れを抑制することができる。
【００３０】  フタ２５には図１（ａ）等に表れているように、開口部側の端部で該開口部の一方の端部側に水平な方向に延びる回動軸２６が設けられている。この回動軸２６が基体１２に設けられたフタ保持部１２ｃの軸受１２ｄに挿入されてフタ２５がこの回動軸２６を中心に回動することができる。これにより、図１（ａ）と図１（ｂ）との対比、図２（ａ）と図２（ｂ）との対比、及び図４と図５との対比からわかるように、フタ２５を本体１１に保持したまま回動軸２６と反対側の端部を上下方向に回動させてフタ２５の内外を連通する開口の形成及び開口の閉鎖をすることが可能となる。
【００３１】  また、フタ２５の回動による開口の形成及び開口の閉鎖の際には、任意の姿勢やフタ２５が所定の姿勢（例えば仮重合をするための姿勢）となったときにその姿勢を維持できる機構が設けられてもよい。これにより、フタ２５を所定の手で保持しておく必要がなく使用者の利便性が向上される。そのための具体的な手段は特に限定されることはないが、例えばトルクヒンジやバネヒンジを挙げることができる。  なお、フタ２５により形成される開口を任意の大きさで維持することができてもよい。このときにもトルクヒンジやバネヒンジを用いることができる。
【００３２】  ここでフタ２５により形成される開口の大きさは縦横それぞれ１００ｍｍ以上であることが好ましい。これにより使用者が歯科技工物を手に持った状態で開口の内外に手を出し入れしやすい大きさを確保することができる。
【００３３】  さらにフタ２５には、回動軸２６が配置された端部とは反対側の壁２５ａに光を透過する部位である光透過部２７が設けられている。当該壁２５ａはフタ２５を形成する壁のうち、技工用重合装置１０の使用者と対向するように配置される壁である。これにより使用者は光透過部２７を通してフタ２５の内側を視認することができる。  光透過部２７は壁２５ａに設けられた開口部に透光性の板が嵌め込まれることにより構成されている。透光性の板は、フタ２５の内側を視認することができる程度に透明であればよく特に限定されることはないが、光源１６、１７、１８のピーク波長の光を２０％以下の透過率で透過する（８０％以上遮光する。）ように減光する構成であることが好ましい。そのために例えば全波長に亘って減光する黒色のフィルターや、光源１６、１７、１８の補色となるオレンジ色のフィルターを用いることができる。  または光源１６、１７、１８のピーク波長の光を２０％以下の透過率で透過して他残りの８０％のうちの少なくとも一部を反射する、マジックミラーであってもよい。これにより光透過部２７を通してフタ２５の内側を視認した際にも、光源１６、１７、１８による眩しさを低減でき、歯科補綴物が見やすくなる。  光透過部２７は、フタ２５の閉鎖の姿勢（図４、開口が閉鎖された姿勢）であっても、フタ２５の開放の姿勢（図５、開口が形成された姿勢）であっても、重合が行われている部位を視認することができる位置に配置されていることが好ましい。
【００３４】  なお、フタ２５の内面は光透過部２７以外の部位において反射率が高い表面とされていることが好ましい。これにより光源１６、１７、１８から出射された光を効率よく重合に利用することができる。反射の形態は特に限定されることはなく、正反射面としてもよいし、拡散反射面としてもよい。
【００３５】  本形態では上記のように水平な回動軸２６を中心にフタ２５の一端を上下方向に回動させることによりフタ２５が開閉して内外を連通する開口の形成及び開口の閉鎖が行われる例を示した。これにより正面の他、左右にも間隙が形成され（図１（ｂ）のＩｂ参照）、ここから手を挿入させるなどして作業をすることができ、作業性の向上を図ることができる。  ただしこれに限られることなく、フタに左右方向に開く方引き又は両引きのスライド式の扉が設けられることにより開閉してフタの内外を連通する開口の形成及び開口の閉鎖が行われてもよい。このときには、扉が最大に開く限度を仮重合をするための開度に制限したり、仮重合をする位置で扉の開閉を規制（ロック）する機構を設けることができる。これにより利用者は、自動的に仮重合時に必要な扉の開度を得ることができ利便性の向上が図られる。
【００３６】  次に、技工用重合装置１０により重合が行われる場面を説明しつつ技工用重合装置１０の作用について説明する。またこの説明により、上記した技工物重合装置１０の構成に加えて、技工用重合装置１０が備えることが望まれる構成や、制御手段１９による制御の態様がさらに理解される。
【００３７】  初めに仮重合をする場面について説明する。図７に説明のための図を示した。仮重合は歯科補綴物を作製する過程で、盛り付けて形を整えた重合材料の一部に光を照射して当該一部を重合させる作業である。従って仮重合では歯科補綴物の必要な部分のみに光を照射すること、及び光を当てる位置を微調整するために使用者が歯科補綴物を手に持ったまま光を照射することが必要である。このようなときには使用者は技工用重合装置１０の仮重合モードを用いることができる。
【００３８】  仮重合モードは、フタ２５を図７に示したように開放の姿勢（仮重合モードの姿勢）とし、フタ２５の内外を連通する開口が形成される姿勢とすることにより自動的に起動する。この仮重合モードでは、フタ２５を仮重合モードの姿勢にすると制御手段１９により次のように設定される。  フタ２５を仮重合モードの姿勢にすると、制御手段１９に備えられたフタ検出センサ２１がフタ２５の姿勢を検知して信号を制御板２０に送信する。当該信号を受けた制御板２０では演算が行われ、これが仮重合モードとなるべきであることを決定する。  当該決定により、制御板２０は回転台１３の載置台１３ｃの回転を規制して載置台１３ｃが回転しないように制御する。さらに、制御板２０は光源部材１４に対して、光源のうち光軸が重合空間形成部１２ｂに交わる光源の少なくとも１つを点灯可能とし、これ以外を点灯できないように規制する。すなわち、光軸の方向が異なる複数（２方向以上）である光源のうちの一部の方向（フタが閉鎖の姿勢の場合よりも少ない方向数）で光源が点灯する。）ように規制する。本形態では例えば光源１８のみを点灯可能として他の光源１６、１７は点灯できないように規制する。これにより、フタ２５の内側であるとともに光源１８の照射範囲となる領域が重合空間としての仮重合領域ＶＩＩａとなる。またこのとき制御板２０は光源１８を点灯する時間を設定し点灯時間をカウントダウン（カウントアップ）する。  点灯する光源はフタ２５により開口が形成された姿勢で直視することができない位置の光源であることが好ましい。これにより安全性を高めることができる。
【００３９】  次に使用者は重合の対象となる歯科補綴物１を仮重合領域ＶＩＩａに配置する。この過程は仮重合なので、歯科補綴物１は直接又は保持具を介して使用者の手により保持されている。当該保持した状態で使用者は操作盤２２の仮重合用点灯開始スイッチ２２ｂ（図６（ａ）参照）を押圧する。これにより光源１８のみが点灯し図７にＶＩＩｂに示したように歯科補綴物１に光が照射され、光源１６、１７は消灯したままとなる。このとき使用者は図７にＶＩＩｃで示したように光透過部２７を通して歯科補綴物１を見て実際の光照射位置を確認しながら仮重合を進めることができる。そして所定の時間が経過することにより光源１８が消灯する。  なお、このように光源１８は、仮重合の際に用いられることからより効率よく重合を行うことができるように、青色のＬＥＤ、又は青色及び紫色のＬＥＤとされることが好ましい。  また光源１８の点灯は、点灯のためのエネルギーを調整して明るく点灯したり暗く点灯したりできてもよい。効率よく短時間で重合する際には高いエネルギーで点灯する。
【００４０】  本形態では予め決められた時間だけ光源１８が点灯するように構成されているが、仮重合時間の自由度を高めるため、スイッチを押圧しているときは光源１８が点灯し、スイッチを離すと光源１８が消灯するように構成してもよい。その際にはスイッチの操作性を高めるため、仮重合領域ＶＩＩａに近い部位である、フタ２５の閉鎖の際に該フタ２５及び基体１２の重合空間形成部１２ｂに囲まれる内側に棒状や板状のスイッチ、非接触で歯科補綴物１の挿入を検知するセンサ、又は回転台１３自体が当該スイッチを兼ねており載置台１３ｃを押圧する等により光源１８が点灯したりするように構成することもできる。また、上記した操作盤２２、２２’の機能のうち、仮重合に関する機能を有する操作盤をフタ２５の閉鎖の際に該フタ２５及び基体１２の重合空間形成部１２ｂに囲まれる内側に配置してもよい。
【００４１】  また、仮重合領域ＶＩＩａの位置をわかりやすくするため、目印となる手段を設けてもよい。これには例えば光源１８の光軸に沿ってレーザー光を出射させたり、光透過部２７に目印をつけたりすることができる。
【００４２】  上記の例では歯科補綴物１を仮重合領域ＶＩＩａに配置してから操作盤２２の仮重合用点灯開始スイッチ２２ｂ（図６（ａ）参照）を押圧する例で説明したが、これとは逆に操作盤２２の仮重合用点灯開始スイッチ２２ｂを押圧してから仮重合領域ＶＩＩａに歯科補綴物１を配置してもよい。このときには、仮重合用点灯開始スイッチ２２ｂを押圧してから光源１８が点灯するまでの時間を例えば２秒程度遅らせたり、当該２秒の間は光源１８が点灯する明るさを抑えたり（弱点灯）するように制御することができる。これにより仮重合領域ＶＩＩａに歯科補綴物１を配置する時間を取る。
【００４３】  光源１８の点灯において、該光源１８として波長の異なる複数の光源を設置した場合（例えば青と紫）には、使用された重合材料に応じていずれか一方のみが点灯するように選択することができてもよい（例えば青のみ、紫のみの点灯）。これにより不要な光源の点灯を防止して無駄を省くことができる。または、使用する重合材料に合わせることができるように点灯するＬＥＤの種類を切り替え可能に構成されてもよい。
【００４４】  上記仮重合の姿勢（フタ２５により開口が形成された姿勢）からフタ２５を閉鎖させることにより全ての光源を消灯する制御をしてもよいし、光源１８の点灯を維持する制御をしてもよい。光源の点灯を維持する場合については再度フタ２５を開けたときに速やかに仮重合作業を再開することができる。また、フタ２５を閉鎖して所定の時間の経過後に光源が消灯するように構成することもできる。  なお、当該フタ２５の閉鎖により操作盤の設定時間（タイマー）がリセットされるように構成することもできる。
【００４５】  次に本重合をする場面について説明する。図８に説明のための図を示した。本重合は歯科補綴物を作製する過程で、全ての材料の盛り付けを終えて重合材料の全部に光を照射して重合させて仕上げる作業である。従って本重合では歯科補綴物の全体に亘ってできるだけムラなく光を照射すること、及びある程度の時間をかけて完全に重合を完了させることが必要である。このようなときには使用者は技工用重合装置１０の本重合モードを用いることができる。
【００４６】  本重合モードは、フタ２５を図８に示したように閉鎖の姿勢（本重合モードの姿勢）としてフタ２５の内外を連通する開口が閉鎖される姿勢とすることにより自動的に起動する。この本重合モードでは、フタ２５を本重合モードの姿勢にすると制御手段１９により次のように設定される。  フタ２５を本重合モードの姿勢にすると、制御手段１９に備えられたフタ検出センサ２１がフタ２５の姿勢を検知して信号を制御板２０に送信する。当該信号を受けた制御板２０では演算が行われ、これが本重合モードとなるべきであることを決定する。  当該決定により、制御板２０は回転台１３の載置台１３ｃの回転を可能とし、載置台１３ｃが回転できるように制御する。さらに、制御板２０は光源部材１４に対して、全ての光源が点灯できるようにする。これにより、フタ２５の内側で光源１６、１７、１８の照射範囲となる領域が重合空間としての本重合領域ＶＩＩＩａとなる。
【００４７】  使用者は予め重合の対象となる歯科補綴物１を本重合領域ＶＩＩＩａに配置しておく。この過程は本重合なので、歯科補綴物１は直接又は高さ調整手段２を介して載置台１３ｃの上に置かれる。このように歯科補綴物１を載置台１３ｃを乗せた姿勢で使用者は操作盤２２の本重合用点灯開始スイッチ２２ａ（図６（ａ）参照）を押圧する。これにより光源１６、１７、１８が点灯し、矢印ＶＩＩＩｂで示したように複数の方向から歯科補綴物１に光が照射される。またその際には載置台１３ｃが回転している。従ってムラのない光の照射ができ、ムラのない重合が可能である。  使用者は図８にＶＩＩＩｃで示したように光透過部２７を通して歯科補綴物１を見て実際の光照射位置を確認しながら本重合を進めることができる。そして本重合用点灯開始スイッチ２２ａで設定した時間が経過することにより光源１６、１７、１８が消灯する。
【００４８】  光源１６、１７、１８の点灯において、該光源１６、１７、１８として波長の異なる複数の光源を設置した場合（例えば青と紫）には、使用された重合材料に応じていずれか一方のみが点灯するように選択することができてもよい（例えば青のみ、紫のみの点灯）。これにより不要な光源の点灯を防止して無駄を省くことができる。  また光源の点灯は、点灯のためのエネルギーを調整して明るく点灯したり暗く点灯したりできてもよい。効率よく短時間で重合する際には高いエネルギーで点灯する。
【００４９】  以上のように、技工用重合装置１０によれば仮重合と本重合とを同一の装置内で行うことができる。そしてその切り替えはフタ２５の姿勢により自動的に演算され、モードが設定されるので使用者は特にいずれのモードであるかを確認することなく作業を行うことが可能であり利便性が高い。そして仮重合器と本重合器を２つ設置する必要がないので、占有するスペースを抑制することができる。  また、いずれのモードであっても光源からの光が直接使用者の目に入ることが防止されており、眩しさによる作業効率の低下を抑制することが可能である。なお、意図しない点灯による眩しさを防止するため、フタ２５が仮重合のための姿勢を越えて開放されたときには、これをフタ検出センサ２１で検知して、制御板２０によりいずれの光源１６、１７、１８も点灯しないように制御してもよい。
【００５０】  以下に、さらなる具体的な制御に関する例をフロー図を用いて説明する。図９、図１０にフロー図を表した。図９は１つの例にかかる技工用重合装置の制御方法Ｓ１０のフロー、図１０は他の例にかかる技工用重合装置の制御方法Ｓ２０のフローをそれぞれ表している。
【００５１】  技工用重合装置の制御方法Ｓ１０は図９に示したように過程Ｓ１１〜過程Ｓ１９を含んで構成されている。各過程は次の通りである。
【００５２】  過程Ｓ１１はフタが閉鎖されて待機状態の過程（フタ閉・待機過程）である。  過程Ｓ１２は過程Ｓ１１の状態において、フタが開いているかを判断する過程（フタ開判断過程）である。すなわち、フタが使用者により開けられたか否かを判断する。フタが開いていなければＮｏが選択され、引き続き過程Ｓ１１が維持される。一方フタが開いていれば過程Ｓ１３に進む。  過程Ｓ１３はフタが開いた待機状態の過程（フタ開・待機過程）である。  過程Ｓ１４は過程Ｓ１３の状態において仮重合が開始されたかを判断する過程（仮重合開始判断過程）であり、使用者により仮重合開始の指令がされたかを判断する。仮重合開始の指令があった場合にはＹｅｓが選択され、過程Ｓ１９で仮重合が開始される（仮重合過程）。そして仮重合が終了することにより終了する。一方、仮重合開始の指令がないときにはＮｏが選択されて過程Ｓ１５に進む。仮重合の開始の指令は、使用者が操作盤２２の仮重合点灯開始スイッチ２２ｂを押圧する、又はフタ２５に囲まれた内側にスイッチが配置された場合には当該スイッチを押圧することにより行うことができる。
【００５３】  過程Ｓ１５はフタが閉鎖されたかを判断する過程である（フタ閉鎖判断過程）。この過程は使用者により重合対象物（歯科補綴物）がセットされ、フタが閉鎖された場面が想定される。フタが閉鎖されていなければＮｏが選択され過程Ｓ１４に戻る。一方フタが閉鎖されていればＹｅｓが選択され、過程Ｓ１６に進みフタが閉鎖された状態で待機される（フタ閉・待機過程）。  過程Ｓ１７は過程Ｓ１６の状態において本重合が開始されたかを判断する過程（本重合開始判断過程）であり、使用者により本重合開始の指令がされたかを判断する。本重合開始の指令があった場合にはＹｅｓが選択され、過程Ｓ１８で本重合が開始される（本重合過程）。そして本重合が終了することにより終了する。一方、本重合開始の指令がないときにはＮｏが選択されて過程Ｓ１６が維持される。本重合の開始の指令は、使用者がフタ２５を閉めたり、点灯開始スイッチ２２’ｃ（図６（ｂ）参照）を押圧することにより行うことができる。
【００５４】  次に他の例に係る技工用重合装置の制御方法Ｓ２０について説明する。技工用重合装置の制御方法Ｓ２０は図１０に示したように過程Ｓ２１〜過程Ｓ３０を含んで構成されている。各過程は次の通りである。
【００５５】  過程Ｓ２１はフタが閉鎖されて待機状態の過程（フタ閉・待機過程）である。  過程Ｓ２２は過程Ｓ２１の状態において、フタが開いているかを判断する過程（フタ開判断過程）である。すなわち、フタが使用者により開けられたか否かを判断する。フタが開いていなければＮｏが選択され過程Ｓ２１が維持される。一方フタが開いていれば過程Ｓ２３に進む。  過程Ｓ２３はフタが開いた待機状態の過程（フタ開・待機過程）である。  過程Ｓ２４は過程Ｓ２３の状態において仮重合が開始されたかを判断する過程（仮重合開始判断過程）であり、使用者により仮重合開始の指令がされたかを判断する。仮重合開始の指令があった場合にはＹｅｓが選択され、過程Ｓ３０で仮重合が開始される（仮重合過程）。そして仮重合が終了することにより終了する。一方、仮重合開始の指令がないときにはＮｏが選択されて過程Ｓ２５に進む。仮重合の開始の指令は、使用者が操作盤２２の仮重合点灯開始スイッチ２２ｂを押圧する、又はフタ２５に囲まれた内側にスイッチが配置された場合には当該スイッチを押圧することにより行うことができる。
【００５６】  過程Ｓ２５は本重合開始の指令がされたかを判断する過程（本重合開始判断過程）であり、使用者により本重合開始の指令がされたかを判断する。本重合開始の指令があった場合にはＹｅｓが選択され、過程Ｓ２６に進む。一方過程Ｓ２５で本重合開始の指令がない場合にはＮｏが選択され過程Ｓ２３の待機状態が維持される。本重合開始の指令は使用者が操作盤２２、２２’に設けられたスイッチを押圧する等により行うことができる。
【００５７】  過程Ｓ２６は仮点灯をする過程（仮点灯過程）である。ここで仮点灯は、光源を暗めに点灯したり、仮重合のときに点灯される光源を点灯したり、一部の光源のみを点灯したりする過程であり、すなわち、本重合時における高いエネルギーによる光源の点灯よりも低いエネルギーで光源を点灯することを意味する。これは、本重合を開始するに先立ち、フタが開いた状態で仮点灯をして光が照射される位置を確認する利便性を考慮した過程である。使用者はこの仮点灯の状況を見て重合対象物（歯科補綴物）を設置することができる。また、光源の断線や異常がないことも確認することが可能となる。
【００５８】  本重合時よりも低いエネルギーで点灯する際には、その点灯が光源を直視してもよい種類及び強さであることが好ましい。  光源の種類の観点からは、紫外線を多く含む光源は仮点灯の際には点灯しないことが好ましい。  また、照射の強さの観点からは、その放射照度と照射時間の積が１００Ｊ／ｍ２以下であることが好ましい。これを超えた場合には強制的に消灯させることもできる。例えば目視で１０秒観察することを想定した場合には放射照度は１０Ｗ／ｍ２以下とする。また、仮点灯時間を、上記強制的に消灯させる時間の範囲内で操作盤によりタイマーで設定し、照射時間を制限できるように構成してもよい。
【００５９】  過程Ｓ２７は過程Ｓ２６の後にフタが閉鎖されたことを判断する過程（フタ閉鎖判断過程Ｓ２７）である。この過程は本重合ではフタは閉鎖されていることが必要なので、本重合が行われる前にフタが閉鎖されているかを判断する。過程Ｓ２７でフタが閉鎖されていないとＮｏと判断され、報知過程Ｓ２９により音声や視覚的な手段により使用者に対してフタが閉鎖されていないことが報知され、過程Ｓ２７が維持される。一方、フタが閉鎖されていれば、過程Ｓ２８（本重合過程Ｓ２８）に進み本重合が行われる。本重合が終了することにより終了する。
【００６０】  なお、本重合が行われている最中に何らかの理由によりフタ２５が開けられた場合に、仮点灯過程又は仮重合モードの設定になり、その間にタイマーを一時停止するように設定してもよい。これにより本重合中に気が付いた不具合を修正してから本重合を再開することもできる。またこれに限らず、本重合が行われている最中に何らかの理由によりフタ２５が開けられた場合に消灯してタイマーをリセットするように構成することもできる。これによれば本重合を中断する際に利便性が高い。
【００６１】  図１１は変形例にかかる技工用重合装置１０’を説明する図であり、図４と同じ視点による図である。本例では上記した技工用重合装置１０に対して、光源部材１４の代わりに光源部材１４’を適用した。その他の部材については技工用重合装置１０と同じなので同じ符号を付して説明を省略する。
【００６２】  光源部材１４’は、歯科補綴物に用いられた重合材料を重合して硬化させるための光を出射する装置である。本形態では光源部材１４’は基板１５’、及び基板１５’に配置された複数の光源１６、１７、１８を備えている。光源１６、１７、１８は上記した通りである。
【００６３】  基板１５’は、基体１２のうち重合空間形成部１２ｂとフタ保持部１２ｃとの間から立設する板状の部材である。本形態の基板１５’は、３つの片１５’ａ、１５’ｂ、１５’ｃが順に連結する形態であり隣り合う片同士は回動可能に連結されている。すなわち、図１１からわかるように、最も基体１２側に配置される片１５’ａは基体１２から上方に立設され、その先端には回動軸１５’ｄにより回動可能に片１５’ｂが連結され、さらに片１５’ｂ先端には回動軸１５’ｅにより回動可能に片１５’ｃが連結される。
【００６４】  これにより、図１１にＸＩａ、ＸＩｂで表したように片１５’ｂ、１５’ｃの傾きを変えることができる。従ってここに配置された光源１７、１８の光軸の方向を変更することができ、必要に応じて光軸の向きを調整することが可能である。
【００６５】  図１２は他の変形例にかかる技工用重合装置１０”を説明する図であり、図５と同じ視点による図である。本例では上記した技工用重合装置１０に対して、光透過部２７の代わりに光透過部２７”を適用した。その他の部材については技工用重合装置１０と同じなので同じ符号を付して説明を省略する。  本例の光透過部２７”は基板１５のうち最も使用者側となる側の端部から垂下するように配置され、重合空間に光透過部２７”が設けられている。光透過部２７”自体の構成は上記した光透過部２７と同様である。  このような技工用重合装置１０”によればフタ２５が大きく開いていても使用者には光透過部２７”を通して光が届くためより確実に目を保護することができる。また、このような光透過部２７”は仮重合領域ＶＩＩａ（図７参照）の目印とすることもできる。
【００６６】  図１３〜図１５には第二の形態にかかる技工用重合装置３０を説明する図を示した。いずれの図も図５と同じ視点による図である。技工用重合装置３０では上記した技工用重合装置１０に対して光源１８の出光側に集光レンズ３１を配置した例である。他の部材については技工用重合装置１０と同じなのでここでは同じ符号を付して説明を省略する。
【００６７】  仮重合は局所的な重合を目的とするので、本形態では仮重合モードで点灯する光源（本例では光源１８）の出光側に集光レンズ３１を設けている。これにより、仮重合時には光源１８から出光した光が集光レンズ３１により集光され、当該集光された強い光が歯科補綴物１に照射される。これにより仮重合を効率よく行うことができる。
【００６８】  一方、本重合の際には歯科補綴物１のできるだけ広い範囲に光を照射することが望まれるので、本重合モードの際には光源１８の出光側から集光レンズ３１を除外する、又は集光しないように配置することが好ましい。そのための具体的な手段は特に限定されることはないが、図１３、図１４、図１５（ａ）、図１５（ｂ）に例を示した。
【００６９】  図１３の例は、集光レンズ３１を片１５ｃに直接着脱する例である。これは手動により必要に応じて集光レンズ３１を基板１５の片１５ｃに着脱する。  図１４の例は、集光レンズ３１が先端に配置されたスタンド３２を載置台１３ｃに置き、集光レンズ３１を光源１８の出光側に配置する例である。これも手動により必要に応じてスタンド３２を載置台１３ｃに載せる。  図１５（ａ）の例は、フタ２５の内側に集光レンズ３１を保持し、不図示のリンク機構により集光レンズ３１を自動的に移動させる例である。すなわち、図１５（ａ）で示したように仮重合モードの姿勢のときには集光レンズ３１は光源１８の出光側に配置され光源１８からの光を集光するが、図１５（ａ）に矢印ＸＶａで示したようにフタ２５を閉鎖する（本重合モードの姿勢にする）とリンク機構により集光レンズ３１が図１５（ａ）に矢印ＸＶｂで示したように移動し、光源１８の出光側から除外される。  図１５（ｂ）の例は、集光レンズ３１と光源１８との相対的な距離を変化させて集光の程度を変化させる例である。すなわち、図１５（ｂ）で示したように仮重合モードの姿勢のときには集光レンズ３１と光源１８との距離は光源１８からの光を集光するが、手動又は図１５（ｂ）に矢印ＸＶｃで示したようにフタ２５を閉鎖する（本重合モードの姿勢にする）と自動的に光源部材１４が図１５（ｂ）に矢印ＸＶｄで示したように上昇して集光レンズ３１と光源１８との距離を変更する。これにより集光を解除することができる。ここでは光源部材１４を移動させる例で説明したが、集光レンズ３１を移動させることでも同様に作用する。
【００７０】  以上により仮重合時には局所的に強い光を照射することができ、仮重合の効率を向上させることができる。本形態では仮重合モードにおいて光源１８を集光し、本重合モードにおいて集光を解除する例であるが、これとは逆に拡散レンズを配置し本重合モードにおいて光拡散レンズを用い、仮重合モードにおいてこれを解除する態様であってもよい。この場合には例えば光源１８を集光する特性を有する光源としておき、仮重合モードではこれをそのまま用いて仮重合をおこない、本重合モードでは光源１８の出光側に光拡散レンズを配置して広い範囲で歯科補綴物１に光を照射すればよい。光拡散レンズの移動の具体的な態様については上記説明したものと同様の考え方を適用することができる。
【００７１】  また、光の方向を制御する観点から、光源にリフレクターを取り付けてもよい。
【００７２】  図１６には第三の形態にかかる技工用重合装置４０を説明する図を示した。この図は図４と同じ視点による図である。技工用重合装置４０では上記した技工用重合装置１０に対して光源部材１４の出光側に保護板４１を配置した例である。他の部材については技工用重合装置１０と同じなのでここでは同じ符号を付して説明を省略する。
【００７３】  保護板４１は光源部材１４のうち光が出射される側に配置される板状の部材であり、重合空間と光源部材１４との間に配置される板状の部材である。その形状は特に限定されることはないが、本形態のように光源部材１４の基板１５の形状に沿った形状とすることができる。保護板４１は光源１６、１７、１８からの光を透過することができるように透光性のある部材で構成されている。少なくとも光源１６、１７、１８からの光が透過すればよいので、当該光源１６、１７、１８から出射される光が透過するべき一部のみが透明であってもよいし、全体が透明であってもよい。保護板４１により、光源１６、１７、１８を汚れや歯科補綴物等との物理的な接触から保護することができる。
【００７４】  保護板４１は透光性のある部材であれば特に限定されることはないが、光源１６、１７、１８からの光を拡散又は集光させる目的で、ここにレンズを備えても良い。また、透光性のある部材は、光源１６、１７、１８側と、その反対側（重合空間側）とで材料が異なる２層以上の樹脂部材としてもよい。これによれば、当該透光性のある部材のうち、重合空間内に晒される側が、重合される材料により汚れても重合空間側の層のみを貼りかえることができ、容易に光量の減衰を防止することができる。
【００７５】  図１７は、技工用重合装置４０の変形例にかかる技工用重合装置４０’を説明する図である。技工用重合装置４０’では、送風装置４２を具備し、図１７に直線矢印で示したように光源部材１４の基板１５と保護板４１との間に送風する。これにより光源１６、１７、１８を冷却することができ、光源の寿命向上が図れる。このとき、図１８に分解斜視図を示したように、光源部材１４のうち保護板４１側とは反対側から、光源部材１４及び保護板４１の出光面となる面以外の面を覆うように箱状のカバー４３を設けてもよい。これにより送風装置４２からの風を効率よく基板１５と保護板４１との間に通すことができる。
【符号の説明】
【００７６】    １０、３０、４０  技工用重合装置    １１  本体    １２  基体    １３  回転台    １４  光源部材    １５  基板    １６、１７、１８  光源    １９  制御手段    ２０  制御板    ２１  フタ検出センサ    ２２  操作盤    ２５  フタ    ２６  回動軸    ２７  光透過部
【図１】
2016039332.tif 000003
【図２】
2016039332.tif 000004
【図３】
2016039332.tif 000005
【図４】
2016039332.tif 000006
【図５】
2016039332.tif 000007
【図６】
2016039332.tif 000008
【図７】
2016039332.tif 000009
【図８】
2016039332.tif 000010
【図９】
2016039332.tif 000011
【図１０】
2016039332.tif 000012
【図１１】
2016039332.tif 000013
【図１２】
2016039332.tif 000014
【図１３】
2016039332.tif 000015
【図１４】
2016039332.tif 000016
【図１５】
2016039332.tif 000017
【図１６】
2016039332.tif 000018
【図１７】
2016039332.tif 000019
【図１８】
2016039332.tif 000020
【国際調査報告】
2016039332.tif 000021
2016039332.tif 000022
2016039332.tif 000023
2016039332.tif 000024
2016039332.tif 000025